(57)【要約】【課題】  負荷の所在を案内する銘板を取外し可能に設け、エンドユーザーの利便性と操作性を改善できる配線用静電スイッチを提供する。【解決手段】  スイッチ箱２と化粧カバー３との間に操作パネル５と案内銘板６とスイッチ基板１８とを重合状態で配置する。スイッチ基板１８に静電容量の変化を検知する検知電極２１を配設し、案内銘板６に負荷の所在を案内する表示部７を検知電極２１に被さるように設ける。操作パネル５と案内銘板６とスイッチ基板１８とをスイッチ箱２の額縁部１０の内側に配置し、化粧カバー３の掛止片２０と操作パネル５の係止爪２９を額縁部１０に着脱し、案内銘板６を表示部７のデザインが異なるものと交換する。【選択図】        図２
2009272164.tif 000002
【特許請求の範囲】
【請求項１】
人体の接触による静電容量の変化を検知して、負荷回路を開閉する配線用静電スイッチにおいて、
スイッチ箱の前面に化粧カバーを着脱可能に取り付け、化粧カバーとスイッチ箱との間に操作パネルと案内銘板とスイッチ基板とを重合状態で配置し、スイッチ基板に静電容量の変化を検知する検知電極を配設し、案内銘板に負荷の所在を案内する表示部を検知電極に被さるように設け、化粧カバーの着脱により案内銘板を交換可能に装着したことを特徴とする配線用静電スイッチ。
【請求項２】
前記スイッチ箱が壁面に埋め込まれる筺体部と、壁面に露出する額縁部とを備え、化粧カバーが額縁部の掛止部に着脱可能な掛止片を備えていることを特徴とする請求項１記載の配線用静電スイッチ。
【請求項３】
前記操作パネルと案内銘板とスイッチ基板とが額縁部の内側に配置されていることを特徴とする請求項２記載の配線用静電スイッチ。
【請求項４】
前記操作パネルが額縁部の係止部に着脱可能な係止爪を備えていることを特徴とする請求項３記載の配線用静電スイッチ。
【発明の詳細な説明】
【技術分野】
【０００１】
本発明は、人体の接触による静電容量の変化を検知して、負荷回路を開閉する配線用静電スイッチに関する。
【背景技術】
【０００２】
従来、屋内配線用のスイッチとして、スイッチ箱の前面にスイッチハンドルを備えた機械式スイッチが多用されている。しかし、機械式スイッチは、可動部の摩耗や汚損で寿命が限られ、壁面から突出するうえ、大きなスペースを占有するなどの問題がある。そこで、指先の接触による静電容量の変化を利用する静電スイッチが提案されている。
【０００３】
例えば、特許文献１には、図８に示すような静電スイッチ５１が記載されている。この静電スイッチ５１は化粧カバー５２の内側に操作パネル５３を備え、操作パネル５３の裏面にスイッチ基板５４と絶縁基板５５とが接着されている。スイッチ基板５４に検知電極５６が埋設され、指先が操作パネル５３に触れたときの静電容量の変化を検知し、負荷回路を開閉するようになっている。
【特許文献１】特開平１１−１３６１１６号公報
【発明の開示】
【発明が解決しようとする課題】
【０００４】
ところが、従来の静電スイッチ５１によると、操作パネル５３がスイッチ基板５４に接着されているため、負荷の所在を案内する銘板（ネームプレート）を取り付けることができなかった。このため、複数の負荷機器を操作する静電スイッチの場合に、スイッチ製造時に付された既製の記号やマークに従って負荷機器を識別する必要があり、これらの表示をエンドユーザーが自由に変更できないという問題点があった。
【０００５】
本発明の目的は、負荷の所在を案内する銘板を交換可能に設け、エンドユーザーの利便性と操作性を改善できる配線用静電スイッチを提供することにある。
【課題を解決するための手段】
【０００６】
上記課題を解決するために、本発明の配線用静電スイッチは、人体の接触による静電容量の変化を検知して、負荷回路を開閉する配線用静電スイッチにおいて、次のような手段を採用したことを特徴とする。
【０００７】
（１）スイッチ箱の前面に化粧カバーを着脱可能に取り付け、化粧カバーとスイッチ箱との間に操作パネルと案内銘板とスイッチ基板とを重合状態で配置し、スイッチ基板に静電容量の変化を検知する検知電極を配設し、案内銘板に負荷の所在を案内する表示部を検知電極に被さるように設け、化粧カバーの着脱により案内銘板を交換可能に装着したことを特徴とする。
【０００８】
（２）スイッチ箱が壁面に埋め込まれる筺体部と、壁面に露出する額縁部とを備え、化粧カバーが額縁部の掛止部に着脱可能な掛止片を備えていることを特徴とする配線用静電スイッチ。
【０００９】
（３）操作パネルと案内銘板とスイッチ基板とが額縁部の内側に配置されていることを特徴とする配線用静電スイッチ。
【００１０】
（４）操作パネルが額縁部の係止部に着脱可能な係止爪を備えていることを特徴とする配線用静電スイッチ。
【発明の効果】
【００１１】
本発明の配線用静電スイッチによれば、化粧カバーとスイッチ箱との間に操作パネルと案内銘板とスイッチ基板とを配置し、化粧カバーの着脱により案内銘板を交換可能に装着したので、複数の案内銘板を好みに応じて載せ替えたり、案内銘板の表示部に覚えやすいデザインで描いたりするなど、エンドユーザーの利便性と操作性を改善できるという効果がある。
【発明を実施するための最良の形態】
【００１２】
以下、本発明の一実施形態を図面に基づいて説明する。図１に示すように、この実施形態の静電スイッチ１は屋内の壁面Ｗ（図４，５参照）に取り付けられるスイッチ箱２と、スイッチ箱２の前面を覆う化粧カバー３とを備えている。化粧カバー３の開口部４は操作パネル５で内側から覆われ、操作パネル５の裏面側に案内銘板６が配置されている。操作パネル５は透明材料で形成され、化粧カバー３の開口部４から操作パネル５を通して案内銘板６上の複数の表示部７を透視できるようになっている。
【００１３】
図２、図３に示すように、スイッチ箱２は壁面Ｗに埋め込まれる筺体部９と、壁面Ｗに露出する額縁部１０とを備えている。筺体部９の相対向する二つの内壁面にはボス部１１が設けられ、ボス部１１の貫通穴１２を通るネジ１３によって、スイッチ箱２が壁面Ｗ内部の建材に取り付けられる。筺体部９の内側には回路基板１４が収められ、図４に示すように、ボス部１１の両隣に位置する支持部１５に支持された状態で、ボス部１１とは異なる内壁面に設けた押え爪１６によりスイッチ箱２に組み付けられている。
【００１４】
図２、図５に示すように、額縁部１０の内側には操作パネル５と案内銘板６とスイッチ基板１８とが重合状態で配置され、化粧カバー３によって保持されている。額縁部１０の相対向する二辺には掛止穴１９が二つずつ形成され、化粧カバー３の内面に掛止穴１９に着脱される四つの掛止片２０が突設されている。スイッチ基板１８には、指先が操作パネル５に触れたときに、静電容量の変化を検知する複数の検知電極２１が配設されている。案内銘板６には、負荷の所在を示す表示部７が各検知電極２１に被さるように設けられている。なお、検知電極２１は信号配線（図示略）で回路基板１４に接続されている。
【００１５】
図２、図３に示すように、筺体部９の上面には、スイッチ基板１８の二辺を支持する平坦面２３と、スイッチ基板１８の別の二辺を幅決めする凸部２４とが形成されている。スイッチ基板１８は、ボス部１１の突起２５と一致する位置に取付穴２６を備え、取付穴２６と突起２５の嵌合によってスイッチ箱２に固定されている。凸部２４の両端と対応する位置において、額縁部１０の内面には係止穴２８（図４参照）が形成され、操作パネル５の四隅に係止穴２８に着脱される係止爪２９が突設されている。
【００１６】
そして、図４、図５に示すように、スイッチ基板１８に案内銘板６を重ね、案内銘板６に操作パネル５を重ねて額縁部１０に係止し、操作パネル５に化粧カバー３を重ねて額縁部１０に掛止することによって、案内銘板６が操作パネル５とスイッチ基板１８との間に挟み付けられた状態でスイッチ箱２に装着される。また、化粧カバー３と操作パネル５を取り外すことにより、案内銘板６をスイッチ箱２から取り外し、別の案内銘板６と交換できるようになっている。なお、額縁部１０の相対向する二辺には、案内銘板６を爪先で剥がすための切欠３０が設けられている（図２，３参照）。
【００１７】
したがって、上記構成の配線用静電スイッチ１によれば、化粧カバー３と操作パネル５の着脱により案内銘板６を交換可能に装着したので、エンドユーザーは表示部７のデザインを自由に変更することができる。例えば、図６（ａ），（ｂ）に示すように、表示部７のデザインが異なる複数枚の案内銘板６をスイッチ製品に同梱して提供することで、エンドユーザーは好みのデザインの案内銘板６を選んで、スイッチ箱２に装着することができる。また、図７に示すように、スイッチ製品に同梱した印刷用紙３２上に案内銘板６を切取線３１でハーフカットし、エンドユーザーがプリンタを使用し、案内銘板６の指定箇所に表示部を自由にデザインすることも可能である。
【００１８】
特に、この実施形態の配線用静電スイッチ１によれば、壁面Ｗに露出する額縁部１０の内側に操作パネル５と案内銘板６とスイッチ基板１８とを重合配置したので、案内銘板６の載せ替えに際し、スイッチ箱２を取り付けたままの状態で、化粧カバー３と操作パネル５を簡単に取り外し、案内銘板６を容易に交換できる。この場合、化粧カバー３が掛止片２０で、操作パネル５が係止爪２９でそれぞれ額縁部１０に着脱されるので、ネジを使用することなく、案内銘板６をワンタッチで交換でき、しかも、掛止片２０と係止爪２９の弾性を利用して案内銘板６をスイッチ箱２上に強固に保持できるという利点もある。
【００１９】
本発明は上記実施形態に限定されるものではなく、例えば、案内銘板６において、表示部７の数を増減したり、スイッチ基板１８において、検知電極２１の近傍に操作表示ランプを設け、操作銘板６に透光穴を形成したりするなど、本発明の趣旨を逸脱しない範囲で、各部の形状や構成を適宜に変更して実施することも可能である。
【図面の簡単な説明】
【００２０】
【図１】本発明の一実施形態を示す配線用静電スイッチの外観斜視図である。
【図２】配線用静電スイッチの構成部品を分解して示す斜視図である。
【図３】配線用静電スイッチのスイッチ箱を示す正面図である。
【図４】図３のＩＶ−ＩＶ線断面図である。
【図５】図３のＶ−Ｖ線断面図である。
【図６】デザインが異なる表示部を備えた案内銘板の正面図である。
【図７】案内銘板を切抜き可能に設けた印刷用紙の正面図である。
【図８】従来の静電スイッチを示す断面図である。
【符号の説明】
【００２１】
１    配線用静電スイッチ
２    スイッチ箱
３    化粧カバー
５    操作パネル
６    案内銘板
７    表示部
９    筺体部
１０    額縁部
１８    スイッチ基板
１９    掛止穴
２０    掛止片
２１    検知電極
２８    係止穴
２９    係止爪
Ｗ    壁面
【図１】
2009272164.tif 000003
【図２】
2009272164.tif 000004
【図３】
2009272164.tif 000005
【図４】
2009272164.tif 000006
【図５】
2009272164.tif 000007
【図６】
2009272164.tif 000008
【図７】
2009272164.tif 000009
【図８】
2009272164.tif 000010